(57)【要約】【課題】  本発明は、単純で且つ低価格な汎用のブラインド装置であって、人間工学に適合した直覚的なスラットの方向付けを可能にするブラインド装置を提供する。【解決手段】  方向調整可能なスラット（５）を備えるモーター付きブラインド（４）の装置（１）は、第一制御操作部（２ａ）と第二制御操作部（２ｂ）とを有する指令送信機（２）と、モーター付きブラインドに取り付けられた指令受信機（６）とを有する。本装置は、二つの制御操作部で実行される動作に基づいて、スラットを平行移動する指令と方向付けする指令とを識別するための解読手段を有する。第二制御操作部（２ｂ）は、実質的に全く同一の第一の方向に沿って二つの対向する方向に移動可能な要素（１４）を有し、二つの電気接点が、第一方向および第二方向に要素（１４）を移動することにより、それぞれが作動可能とされる。【選択図】      図１
2005002786.tif 000002
【特許請求の範囲】
【請求項１】
方向調整可能なスラット（５）を有するモーター付きブラインド（４）の装置（１）であって、第一制御操作部（２ａ）および第二制御操作部（２ｂ）を備える指令送信機（２）と、前記モーター付きブラインドに取り付けられた指令受信機（６）とを有する装置において、
二つの前記第一制御操作部（２ａ）および前記第二制御操作部（２ｂ）で実行される動作に基づき、前記スラットを平行移動するための指令と方向付けするための指令とを識別するための解読手段（Ｘ）を有し、
前記第二制御操作部（２ｂ）は、実質的に全く同一の第一の方向（Ｄ１）に沿って二つの対向する方向（Ｓ１、Ｓ２）に移動可能な要素（１４、１４’；４３）を有し、二つの電気接点（２０ａ、２０ｂ；４０ａ、４０ｂ）が、第一方向（Ｓ１）および第二方向（Ｓ２）に前記要素（１４；１４’；４３）を動かすことにより、それぞれ作動可能とされる、装置。
【請求項２】
前記要素は、歯部（４４）を有し且つ回転移動可能に取り付けられた指回し式ホイール（４３）であり、前記電気接点（４０ａ、４０ｂ）が、前記指回し式ホイールの前記歯部により作動される、請求項１に記載の装置。
【請求項３】
前記要素は、二つの停止部（１６ａ、１６ｂ）の間で移動可能に取り付けられ、前記電気接点（２０ａ、２０ｂ）が、前記要素（１４、１４’）の移動制限位置で作動される、請求項１に記載の装置。
【請求項４】
前記要素は、指回し式ホイール（１４）またはスライダー（１４’）である、請求項３に記載の装置。
【請求項５】
前記装置は、前記第二制御操作部（２ｂ）の操作により作動される第三の電気接点（２０ｃ）を有する、請求項１から請求項４のいずれか一つの請求項に記載の装置。
【請求項６】
前記第三の電気接点（２０ｃ）は、第二の方向（Ｄ２）に前記要素を操作することにより作動される、請求項５に記載の装置。
【請求項７】
前記第二の方向（Ｄ２）は、前記第一の方向（Ｄ１）と実質的に直角である、請求項６に記載の装置。
【請求項８】
前記解読手段は、前記第三の電気接点（２０ｃ）の作動と相関して、平行移動指令と方向付け指令とを識別するための手段（２６）を有する、請求項５から請求項７のいずれか一つの請求項に記載の装置。
【請求項９】
前記解読手段は、前記制御操作部の作動、および、前記制御操作部または前記電気接点の作動時間の、少なくとも一方と相関して、平行移動指令と方向付け指令とを識別するための手段（２６）を有する、請求項１から請求項８に記載の装置。
【請求項１０】
前記解読手段（Ｘ）が、前記指令送信機（２）または前記指令受信機（６）に、少なくとも部分的に備えられる、請求項１から請求項９に記載の装置。
【請求項１１】
前記装置は、前記スラットを平行移動および方向付けするための単一の作動機（３）を有する、請求項１から請求項１２に記載の装置。
【請求項１２】
前記解読手段は、前記作動機（３）の速度の減速を指令するモジュール（７）に接続される、請求項１１に記載の装置。
【発明の詳細な説明】
【技術分野】
【０００１】
本発明は、サンシェード（ｓｕｎｓｈａｄｅ）の分野、特に、方向調整可能なスラット（Ｓｌａｔｓ）を有するモーター付き（、すなわち電動化された）ブラインドの装置であって、第一制御操作部と第二制御操作部とを備える指令送信機（ｏｒｄｅｒｓ  ｔｒａｎｓｍｉｔｔｅｒ）と、モーター付きブラインドに取り付けられた指令受信機（ｏｒｄｅｒｓ  ｒｅｃｉｅｖｅｒ）とを有する装置に関する。
【背景技術】
【０００２】
垂直なスラットを備える外装用あるいは内装用のベネチアン・ブラインドまたはベネチアン・カーテンは、例えばスクリーン、ブラインド、ロールシャッター（巻き上げシャッター）のような他のサンシェードと比較して特殊な制御制約を有する。従来のベネチアン・ブラインドまたはベネチアン・カーテンにおいては特に、一方では、窓またはドアの高さあるいは幅に沿った長手方向の移動に注意を払わなければならず、他方では、スラットの角度方向付けに注意を払わなければならない。これらのサンシェードを電動化するためには特殊な構成が必要となる。
【０００３】
方向調整可能なスラットを有するサンシェードと、二重制御を有するサンシェードと、単一制御式サンシェードとは区別される。
【０００４】
例えばモータ−が付いていない内装用ベネチアン・ブラインドのような、二重制御を有するサンシェードは、一方では、ブラインドの昇降はストリング（ｓｔｒｉｎｇ）により制御され、他方では、スラットの方向の調整はブラインドの反対側に取り付けられたリンク機構により制御される。スラットの方向を調整するための制御は、例えば、回転式ノブ、指回し式ホイール（ｔｈｕｍｂｗｈｅｅｌ）または（特に二枚の板ガラスの間に取り付けられるブラインドの場合の）磁石付きのスライダー（ｓｌｉｄｅｒ）のような、リンク機構以外のシステムによりなされることもでき、これらのシステムは、ケーブルあるいはロッドの助力により、スラットの回転をもたらすことを可能にする。このタイプの装置は、例えばオーストラリア特許第ＡＵ２０００７２３７６号明細書に開示されている。
【０００５】
スラットの方向付けを調節するためのこれらのシステムは、狭い範囲の回転運動を確実にするように考えられており、ブラインドの高さまたはカーテンの移動の調整には適さない。その反面、これらのシステムは、使用者に関わる人間工学に適合した適切で直覚的な調整を可能にする。
【０００６】
単一制御式サンシェードの場合、単一の制御手段により、スラットの方向調整および平行移動がもたらされる。
【０００７】
ブラインドを上昇あるいは下降する間の中間停止位置でスラットの方向を調整するためには、直前の移動方向に対して反転した方向にブラインドを操作することで足りる。単一制御式サンシェードは、二重制御式サンシェードよりも容易に電動化されうる。サンシェードの支持レール内に設置された作動機であって、コード巻取り機あるいはベルト巻取り機を備える作動機は、スラットを方向付けおよび／または移動するために、スラットを支持するコード（ｃｏｒｄ）を動かす。
【０００８】
二重制御式ブラインドにおいては、通常、二重の動力化が必要となる。それらは、ツインモータ式ブラインド（ｔｗｉｎ-ｍｏｔｏｒ  ｂｌｉｎｄｓ）として言及される。
【０００９】
二つの閉位置の間でスラットの所望の方向をうることは必ずしも極めて容易なことではない。
【００１０】
このことは、単一モーターの場合にブラインドを上昇あるいは下降するために使用されるモーターの回転速度とスラットを方向付けするためのモーターの回転速度とが同じであることに起因する。ブラインドを上昇あるいは下降するための時間を十分に短くするために、モータの回転速度は十分に速くされなければならない。スロットを方向付けるための指令がなされて、もしスラットの角度方向が行き過ぎた場合には、モーターは、スラットが所望の位置に到達するように反転方向に作動されなければならない。モーターの回転速度が原因で、所望の正確な方向付けを最初の試みで達成することは困難である。
【００１１】
このように、方向調整可能なスラットを有するサンシェードの制御は、他のタイプのサンシェードあるいは家庭用の他のクロージャーのために使用される従来の装置で可能であるが、扱いにくい。
【００１２】
モーター付きブラインドシステムにおいては、多様な人間工学に基づく（、すなわち使用者の能力に作業環境を適合させる）、スラットの移動および方向付けの制御を可能にする一つ以上のボタンを有する指令送信機が重要な役割を果たす。
【００１３】
例えば、５つの位置を有するバイポーラ・インバータ（ｂｉｐｏｌａｒ  ｉｎｖｅｒｔｅｒ  ｗｉｔｈ  ５  ｐｏｓｉｔｉｏｎｓ）は、軸線のまわりを傾く要素を有する。上昇ボタンあるいは下降ボタンの一つに高圧力をかけることにより、固定位置に上記要素が固定され、ボタンにより与えられた方向における移動制限位置まで、このボタンにより指示された方向に作動機を連続して作動させる指令が出される。かくして、ブラインドは、（上昇あるいは下降するように）平行移動で動かされる。逆に、低圧力は、要素が圧力から解放されるとすぐに移動を中止する瞬時指令として判断される。この低圧力により、スラットの方向付けを制御することが可能とされる。
【００１４】
最も低い圧力が最も小さな動作を引き起こすことと、スラットを方向付けする間、使用者が実際に操作活動するということとにおいては、この形態に係る人間工学は直覚的である。その反面、この形態では多様な制御を識別することは不可能であり、インバータはツインモータ式ブラインドの制御には適しない。
【００１５】
欧州特許第ＥＰ０２７３７１９号明細書から知られている第二の典型的な指令送信機キーパッドは、上昇ボタンおよび下降ボタンに加えて、時計回り方向および反時計回り方向（ｔｒｉｇｏｎｏｍｅｔｒｉｃ  ｓｅｎｓｅ）にスラットの方向付けを制御するための別のボタンを有する。ボタンは、概して一列に配置される。スラットの方向付けの動作が、基本的に、スラットを平行移動するためのモーターの作動に基づいて得られているが、使用者はこれに気づかない。
【００１６】
ボタンのこの整列においては、従来の上昇ボタンまたは下降ボタンと比較して特別なボタンを中間位置に対応させることを提案している。このタイプの送信機は、人間工学という観点では利点を有しない。
【００１７】
さらに、米国特許第４、４９２、９０８号明細書は、ポテンショメータ（ｐｏｔｅｎｔｉｏｍｅｔｅｒ）を有するベネチアン・ブラインドのスラットの方向付けを制御するための装置を開示している。スラットの方向付けは、ポテンショメータに適用される回転と相関して直接的に制御される。物理量との一致を利用する限りにおける方向付けの制御は、実際に直覚的なものではない。その本質的な目的は、整合性があり一様に審美的な外観を確実にするために、同時に制御される全く同一のグループの多様なブラインド間の相違を修正することを可能にすることである。更に、このような制御装置は複雑で高価である。
【発明の開示】
【発明が解決しようとする課題】
【００１８】
本発明の目的は、方向調整可能なスラットを有するブラインド装置の制御であって、上記の欠点を軽減し従来技術において知られている装置を改良する制御を提供することである。特に、本発明は、方向調整可能なスラットを有するブラインド装置であって、単純で且つ低価格で、（多様なタイプのブラインドの電動化に適する）汎用の装置を提供し、また、人間工学に適合した直覚的なスラットの方向付けを可能とするブラインド装置を提供する。
【課題を解決するための手段】
【００１９】
本発明に係る装置は、二つの制御操作部で実行される動作に基づいて、スラットを平行移動する指令と方向付けする指令とを識別するための解読手段を有し、第二制御操作部は、実質的に全く同一の第一の方向に沿って二つの対向する方向に移動可能な要素を有し、二つの電気接点が、第一方向および第二方向に要素が動くことにより、それぞれ作動可能とされる。二つの電気接点は、二つの異なった方向にブラインドを駆動するための電気モーターに電力供給をもたらす。
【００２０】
本装置の多様な実施例が、特許請求の範囲の従属請求項２から従属請求項１２により規定される。
【００２１】
添付図面は、例証として、本発明に係る方向調整可能なスラットを有するブラインド装置の幾つかの実施例を示す。
【発明を実施するための最良の形態】
【００２２】
図１に示される方向調整可能なスラットを有するモーター付きブラインド装置１は、第一制御操作部２ａおよび第二制御操作部２ｂを備える指令送信機２と、自身の軸線のまわりで方向調整可能な水平スラット５を有する機械組立体４に接続される指令受信機６と、スラットを方向付けるためのモーター３と、スラットを垂直に移動するためのモーター３’とを有する。
【００２３】
図２ａに示される第一制御操作部２ａは、三つの制御ボタン１１、１２および１３を有する。ボタン１１および１２は、従来の方法で、モーター３’を作動することによりブラインドを上昇および降下させることをそれぞれ可能にする。ボタン１３は、ブラインドの上昇動作または降下動作を停止するためにモーター３’の動作停止を可能にする。
【００２４】
さらに、指令送信機２は、その側面の一方に指回し式ホイール１４を有する第二制御操作部２ｂを備える。図２ａに示されるこの指回し式ホイールは、指令送信機２の面に対して軸線１５まわりに回転移動できる。指回し式ホイールは、その周囲上にボス１９を備え、このボス１９は、指回し式ホイールの移動方向に基づいて電気接点２０ａあるいは２０ｂの作動を可能とする。使用者が、指回し式ホイール１４を時計回り方向Ｓ１に回転すると、ボス１９は接点２０ａの部分１７ａに作用し、接点２０ａの部分１７ａを接点２０ａの部分１８ａに接触させ、接点２０ａを閉じる。使用者が指回し式ホイール１４を反時計回り方向（ｔｒｉｇｏｎｏｍｅｔｒｉｃ  ｓｅｎｓｅ）Ｓ２に回転すると、ボス１９は接点２０ｂの部分１８ｂに作用し、接点２０ｂの部分１８ｂを接点２０ｂの部分１７ｂに接触させ、接点２０ｂを閉じる。指回し式ホイール１４は、その二つの端点の間で移動可能であり、これらの端点において、ボス１９は、スタッド（ｓｔｕｄ）１６ａとスタッド１６ｂのそれぞれと当接する。あるいは、接点２０ａおよび接点２０ｂ自身が、停止部としての役割を果たしてもよい。
【００２５】
指回し式ホイールは、接点２０ａおよび接点２０ｂのいずれもが作動されない位置へ指回し式ホイールを運ぶために、ハートカム（ｈｅａｒｔ  ｃａｍ）の一部分のような形状２２を有しており、この形状２２上で作用するスプリングリーフ（ばね板）２３と協働するものであってもよい。この実施形態は、リセット位置への復帰のために一つ以上の螺旋状スプリングを有するシステムに置き換えられてもよい。
【００２６】
指回し式ホイールは、図５に示されるように、制御操作部２内に作られた溝部内の二つの停止部１６ａ’と１６ｂ’との間で移動可能なスライダー部１４’のような別の要素に置き換えられることもできる。
【００２７】
低剛性の一つ以上の螺旋状スプリングが、スライダー部を、接点２０ａまたは２０ｂが作動しないスライダー部の中央の休止位置に戻すことを可能にする。
【００２８】
指回し式ホイールまたはスライダータイプの実施例における利点は、それらの作動モードにあり、特に、移動制限位置に要素を運ぶための要素の動きが、滑るような動きでなされることであり、また、使用者の思いのままになされることである。このことは、スラットの方向付け操作の全体を通して、スラットの動きがゆっくりで且つ使用者により監視されるという点で、スラットの方向付けの制御を特に直覚的なものとする。
【００２９】
別の実施例においては、指回し式ホイールまたはスライダー部は、接点２０ａおよび２０ｂを作動する移動制限位置に留まるか、あるいは接点自身がそれらの閉鎖位置に留まってもよい。
【００３０】
これらの場合、指回し式ホイールの角度動作またはスライダー部の平行移動動作に加えて、これらの要素が、例えば前に記載されている動作の第一方向Ｄ１に対して直角な第二方向Ｄ２に沿って作動するようにされてもよい。要素が第二方向に作動されると、要素は、二つの移動制限位置の間の中間位置であって、接点２０ａおよび２０ｂが作動しない、または接点が開放位置へと復帰する中間位置へ戻る。
【００３１】
図２ｂに示される第二の実施例においては、指回し式ホイール４３の移動は二つの移動端部により制限されることはなく、指回し式ホイールは停止することなく回転移動する。所定方向における（指回し式ホイールの移動ステップを形成する）所定角度の指回し式ホイールの各移動が、電気接点を作動する。接点の作動は、指回し式ホイールの移動方向と一致する方向に（、例えば作動機において規定される回転角度あるいは作動時間のような）、作動機の一ステップの移動をもたらす。
【００３２】
指回し式ホイールの各移動ステップに対する制御コマンドを送信することはできる。しかし、好ましくは、移動ステップが停止されるまで指回し式ホイールの移動ステップの回数が数えられ、数えられた移動ステップの回数で構成される制御コマンドが送信される。
【００３３】
電気接点４０ａおよび４０ｂは、軸線４２まわりのレバー４１の回転を介して指回し式ホイール４３上の歯部４４により作動される。
【００３４】
図６および図７は、指回し式ホイールが指令送信機の前面に配置されている指令送信機の実施例を示す。図６においては、指回し式ホイールは水平軸線のまわりを回転し、図７においては、指回し式ホイールは垂直軸線のまわりを回転する。
【００３５】
接点２０ａおよび２０ｂの作動は、図３に図式的に示されるように、一方向または他方向にモーターを回転するための制御指令を形成することを可能にする。使用者による時計回り方向Ｓ１の指回し式ホイール１４の動作Ａ１は接点２０ａを閉じ、反時計回り方向（ｔｒｉｇｏｎｏｍｅｔｒｉｃ  ｓｅｎｓｅ）Ｓ２の動作Ａ２は接点２０ｂを閉じる。接点は、平行移動指令と回転指令とを識別することを可能にする解読手段部Ｘに接続される。解読手段部Ｘは、対応する作動機に指令を直接的に送信することを可能にする。
【００３６】
この識別作業は、単一モーター式ブラインドと同様に二つのモーターを有するブラインドを作動することを可能にするので重要であり、また、単一モータ−式ブラインドにおいてスラットの方向付けをするために回転速度を減速することを可能にするので重要である。
【００３７】
解読手段は、概して、電気接点の作動と電気接点の作動時間との両方を解析することを可能とするマイクロプロセッサーから構成される。解読手段はまた、メモリーも有する。多様な接点および／または接点の作動時間に相関して、解読手段は、使用者が送信することを望むスラットの平行移動指令か、または方向付け指令かを決定することができる。
【００３８】
ブラインドの上昇制御および下降制御のための制御ボタン１１、１２、１３は、接点２０ａおよび２０ｂとは別の接点２１ａおよび２１ｂを作動することができる。その際、それぞれの接点は、スラットに対する平行移動指令および方向付け指令のそれぞれに対応して、第一操作部での動作と第二操作部での動作とを差別化する役割を果たす。
【００３９】
ブラインドの上昇制御および下降制御のための制御ボタンはまた、単に指回し式ホイール１４と同じ接点２０ａおよび２０ｂを作動するものであってもよい。この場合、スラットに対する平行移動指令および方向付け指令とを識別するための別の手段が提供される。
【００４０】
例えば、第二操作部に、指回し式ホイールに接続される第三の電気接点２０ｃが備えられる。この第三の電気接点２０ｃは、第二方向Ｄ２に指回し式ホイール１４を押圧することにより作動されるか、または、指回し式ホイール１４の操作による休止位置から外れる動作により作動されることができる。この実施例は、図４に図式的に示される。接触点２０ｃは、速度を減速する指令を出すためのモジュール７を経由して解読手段Ｘに接続される。
【００４１】
かくして、指回し式ホイールを操作することにより引き起こされた指令には、作動機の速度に関する情報であって、単一モーター式ブラインドの場合にとって有用な情報が含まれることになる。
【００４２】
電気接点２０ｃは、第一操作部を経由して入力されたコマンドと、第二操作部を経由して入力されたコマンドとを識別することを可能にする。
【００４３】
この電気接点２０ｃは、更に、作動機の回転の停止を制御する機能と、ブラインドの上昇移動あるいは下降移動の停止を制御する機能とを有してもよい。もし、作動機を停止するときに電気接点２０ｃが作動されたならば、電気接点２０ｃが、中間位置にブラインドを配置する機能を有してもよい。
【００４４】
上記に替えて、又は上記に加えて、制御操作部の作動時間が、平行移動指令と方向付け指令とを識別する役割を果たしても良い。この場合、解読手段Ｘは、制御操作部の作動時間の検出器２４と、解読手段Ｘのメモリーに設定された一つ以上の閾値と作動時間を比較するための比較器２５とからなる指令を識別するための手段２６を有する。
【００４５】
二つの操作部の電気接点が独立していても、第一操作部２ａの短いパルス動作は、スラットに対する平行移動コマンドとして解読手段Ｘにより解読され、一方で、第二操作部２ｂの短期間の継続した動作は、スラットに対する方向付けコマンドとして解読される。同様に、指回し式ホイールの操作はまた、（例えば速い速度で）ブラインドを平行移動するコマンドの送信をもたらす。
【００４６】
第二操作部２ｂの指回し式ホイールが移動端部を有していたとしても、接点２０ａまたは２０ｂの各作動は、規定されたステップの回転コマンドとして作動機により解読される制御コマンドをもたらす。
【００４７】
二つの制御操作部２ａおよび２ｂの操作の多様な選択肢および結果の概要が、図８から図１１の表に示される。
【００４８】
図８は、第一制御操作部に電気接点２１ａおよび２１ｂを有し且つ第二制御操作部に電気接点２０ａおよび２０ｂを有する場合の、制御操作部のそれぞれのボタンでもたらされる動作結果を示す。
【００４９】
図９の表は、二つの操作部が同一の電気接点に接続され、これらの操作部の作動時間を計測することにより識別がもたらされるときの、制御操作部の動作結果を示す。この作動時間は、（解読手段Ｘの）メモリー内に設定された所定の閾値と比較される。比較結果は、平行移動指令と方向付け指令との識別を可能にする。
【００５０】
図１０の表は、二つの操作部が同一の電気接点に接続され、例えば通常、電気接点が休止位置で開放していて、指回し式ホイールが方向Ｓ１あるいはＳ２のいずれかに作動されるとすぐに作動される第三の電気接点２０ｃを解読手段Ｘが有するときの、制御操作部の動作結果を示す。この第三の電気接点は、方向付け指令を識別することを可能とし、単一モーター式装置の場合における作動機の速度を減速する指令と方向付け指令とを結び付けることを可能にする。
【００５１】
図１１の表は、二つの操作部が同一の電気接点に接続され、指回し式ホイールが、（例えば、指回し式ホイールを押圧することで）第一方向と区別される第二方向に作動されるとすぐに作動される第三の電気接点２０ｃを有するときの、制御操作部の作動結果を示す。
【００５２】
指回し式ホイールの押圧および移動が同時にもたらされる動作は、制御指令として識別される。指回し式ホイールの押圧がない移動は、対応する方向における第一制御操作部の作動に対応する。
【００５３】
制御操作部は、前述のようなワイヤー式遠隔制御とされてもよいが、例えば、電波または赤外線を介してモーターを動かすための装置と通信する携帯式無線遠隔制御から構成されてもよい。
【００５４】
この場合、多様な制御ボタン、スライダーまたは指回し式ホイールにもたらされる多様な動作は、電子装置により制御操作部で電磁信号に変換される。
【００５５】
制御指令の解読は、制御操作部か、または、モーターを動かすための装置のいずれかでなされる。すなわち、解読手段は、指令送信機あるいは指令受信機のいずれかに配置される。
【００５６】
第一の場合、解読手段Ｘは、制御操作部２ａあるいは２ｂのどちらか一方の動作により、使用者により与えられる指令を識別し、指令送信機２は、関連する作動機３または３’の指令受信機６の方へ直接的に制御指令を送信する。
【００５７】
第二の場合、指令送信機２は、（例えば、作動された接点の一つ以上の識別子、作業継続時間のような）一セットのデータを、解読手段Ｘを備える指令受信機６へ送信する。これらのデータは解読手段Ｘにより解析され、関連する作動機３，３’へ与えるべき指令を決定する。
【００５８】
単一モーターの場合、作動機の速度の減速を指令するためのモジュールと解読手段とを結び付けることが可能である。これにより、スラットのための方向付けコマンドは、低速でもたらされうる。
【００５９】
模範的な実施例においては、解読手段Ｘは、解読手段がスラットに対する平行移動コマンドを検知するとすぐに作動機を高速で回転するコマンドを直接引き起こし、一方では、解読手段Ｘは、解読手段がスラットに対する方向付けコマンドを検知したならば、作動機を低速で回転するためのコマンドを引き起こす。この低速コマンドは、制御操作部が作動されている限り継続されるか、または、制御操作部が長期にわたり作動される場合には、少なくとも、一方の端点から他方の端点にスラットが傾斜するのに必要とされる時間に等しい継続時間にわたり継続される。
【００６０】
本発明に係る装置は、方向調整可能なスラットを有する任意のタイプのブラインドまたはカーテンに適用されうることは明らかである。
【図面の簡単な説明】
【００６１】
【図１】本発明に係るブラインド装置の第一実施例の線図である。
【図２ａ】第二制御操作部の操作可能な要素の第一実施例の詳細図である。
【図２ｂ】第二制御操作部の操作可能な要素の第二実施例の詳細図である。
【図３】本発明に係るブラインド装置の第二実施例の電気回路図である。
【図４】本発明に係るブラインド装置の第三実施例の電気回路図である。
【図５】別の実施例に係る制御操作部の操作可能な要素の詳細図である。
【図６】別の実施例に係る制御操作部の操作可能な要素の詳細図である。
【図７】別の実施例に係る制御操作部の操作可能な要素の詳細図である。
【図８】制御操作部と電気接点と多様な実施例における作動機の相互作用との間の関係を説明する表図である。
【図９】制御操作部と電気接点と多様な実施例における作動機の相互作用との間の関係を説明する表図である。
【図１０】制御操作部と電気接点と多様な実施例における作動機の相互作用との間の関係を説明する表図である。
【図１１】制御操作部と電気接点と多様な実施例における作動機の相互作用との間の関係を説明する表図である。
【符号の説明】
【００６２】
２    指令送信機
２ａ    第一制御操作部
２ｂ    第二制御操作部
４    ブラインド
６    指令受信機
１４    要素
【図１】
2005002786.tif 000003
【図２ａ】
2005002786.tif 000004
【図２ｂ】
2005002786.tif 000005
【図３】
2005002786.tif 000006
【図４】
2005002786.tif 000007
【図５】
2005002786.tif 000008
【図６】
2005002786.tif 000009
【図７】
2005002786.tif 000010
【図８】
2005002786.tif 000011
【図９】
2005002786.tif 000012
【図１０】
2005002786.tif 000013
【図１１】
2005002786.tif 000014